(57)【特許請求の範囲】
【請求項１】
物体側より順に、
正屈折力を有する第１レンズ群と、
負屈折力を有する第２レンズ群と、
正屈折力を有する第３レンズ群と、
正屈折力を有する第４レンズ群とからなり、
前記第２レンズ群と前記第３レンズ群とを光軸に沿って移動させて変倍を行う４群ズームレンズにおいて、
前記第４レンズ群は、物体側より順に、正屈折力を有する前群Ｇ４ｆ、負屈折力を有する中群Ｇ４ｍ、正屈折力を有する後群Ｇ４ｒより構成し、
合焦に際して、前記第３レンズ群は光軸に沿って移動し、
前記第４レンズ群中群Ｇ４ｍを光軸と略垂直方向に偏心させて結像位置を変位する構成とし、
以下の条件式を満足することを特徴とする防振機能を有する大口径望遠ズームレンズ。
（１）０．７＜｜Ｆ４ｒ／Ｆ４ｍ｜＜１．０
（２）０．３３≦｜Ｆ４ｍ／Ｆｔ｜＜０．４
Ｆ４ｍ：第４レンズ群中群Ｇ４ｍの焦点距離
Ｆ４ｒ：第４レンズ群後群Ｇ４ｒの焦点距離
Ｆｔ：望遠端におけるレンズ全系の焦点距離
【請求項２】
物体側より順に、
正屈折力を有する第１レンズ群と、
負屈折力を有する第２レンズ群と、
正屈折力を有する第３レンズ群と、
正屈折力を有する第４レンズ群とからなり、
前記第１レンズ群は第１レンズ群前群と第１レンズ群後群からなり、
前記第２レンズ群と前記第３レンズ群とを光軸に沿って移動させて変倍を行う４群ズームレンズにおいて、
第４レンズ群は、物体側より順に、正屈折力を有する前群Ｇ４ｆ、負屈折力を有する中群Ｇ４ｍ、正屈折力を有する後群Ｇ４ｒより構成し、
合焦に際して、前記第１レンズ群後群は光軸に沿って移動し、
前記第４レンズ群中群Ｇ４ｍを光軸と略垂直方向に偏心させて結像位置を変位する構成とし、
以下の条件式を満足することを特徴とする防振機能を有する大口径望遠ズームレンズ。
（１）０．７＜｜Ｆ４ｒ／Ｆ４ｍ｜＜１．０
（２）０．３３≦｜Ｆ４ｍ／Ｆｔ｜＜０．４
Ｆ４ｍ：第４レンズ群中群Ｇ４ｍの焦点距離
Ｆ４ｒ：第４レンズ群後群Ｇ４ｒの焦点距離
Ｆｔ：望遠端におけるレンズ全系の焦点距離
【請求項３】
前記第４レンズ群前群Ｇ４ｆは、少なくとも２つの正レンズを有することを特徴とする請求項１または２に記載の防振機能を有する大口径望遠ズームレンズ。
【発明の詳細な説明】
【技術分野】
【０００１】
本発明は、一眼レフカメラ用に好適な、防振機能を有する大口径望遠ズームレンズに関する。
【背景技術】
【０００２】
３５ミリ判撮像素子サイズに対応した、望遠側の画角が１３度以下で、変倍比が３倍弱程度、ズーム全領域における開放Ｆ値が２．８程度の防振機能を有する大口径望遠ズームレンズとして特許文献１、２が開示されている。
【０００３】
また、小型撮像素子を用いたデジタル一眼レフカメラに対応した、望遠側の画角が１３度以下で、ズーム全領域における開放Ｆ値が２．８程度の大口径望遠ズームレンズとして特許文献３が開示されている。
【先行技術文献】
【特許文献】
【０００４】
【特許文献１】特開２００３−０９０９５８号公報
【０００５】
【特許文献２】特開２００２−１６２５６４号公報
【０００６】
【特許文献３】特開２００７−２１２８３０号公報
【発明の概要】
【発明が解決しようとする課題】
【０００７】
特許文献１及び２に開示された光学系は、３５ｍｍ判フィルムフォーマット一眼レフカメラ用に設計されている。これらの光学系において画角を変えずに像高Ｙを小さくするには、光学系全体をスケーリングにより焦点距離ｆを短くすればよいが、この手法だとバックフォーカスも短くなる。
【０００８】
しかし、従来の小型撮像素子（例えばＡＰＳ−Ｃサイズ相当）を使用したデジタル一眼レフカメラは、クイックリターンミラーがあるため、クイックリターンミラーに干渉しないようにバックフォーカスを長くしなければならない。また、過去の３５ミリ判用交換レンズを使いたいユーザーの要望を満たすため、上記小型撮像素子を搭載したデジタル一眼レフボディにおいても従来の３５ミリ判用一眼レフカメラと同一のフランジバックを確保する必要があった。
【０００９】
また特許文献１に開示された光学系は、望遠端において画面中心から周辺までの像面の平坦性が不十分で、特に防振時の像面変動が大きいという問題があった。
【００１０】
特許文献２に開示された光学系は、全長はコンパクトであるが、各群のパワーが強いことによる球面収差の補正が不十分な問題があった。
【００１１】
特許文献３に開示された光学系は防振機能を有しておらず、防振機能を搭載することが課題となっていた。
【００１２】
本発明は、上記課題を解決し、特に小型撮像素子を搭載したデジタル一眼レフカメラに好適な、コンパクトで光学性能が良好な防振機能を有する大口径望遠ズームレンズを提供することを目的とする。
【課題を解決するための手段】
【００１３】
上記目的を達成するために、本発明の第１の発明に係る防振機能を有する大口径望遠ズームレンズは、物体側より順に、正屈折力を有する第１レンズ群と、負屈折力を有する第２レンズ群と、正屈折力を有する第３レンズ群と、正屈折力を有する第４レンズ群とからなり、前記第２レンズ群と前記第３レンズ群とを光軸に沿って移動させて変倍を行う４群ズームレンズにおいて、第４レンズ群は、物体側より順に、正屈折力を有する前群Ｇ４ｆ、負屈折力を有する中群Ｇ４ｍ、正屈折力を有する後群Ｇ４ｒより構成し、合焦に際して、前記第３レンズ群は光軸に沿って移動し、前記第４レンズ群中群Ｇ４ｍを光軸と略垂直方向に偏心させて結像位置を変位する構成とし、以下の条件式を満足することを特徴とする。
（１）０．７＜｜Ｆ４ｒ／Ｆ４ｍ｜＜１．０
（２）０．３３≦｜Ｆ４ｍ／Ｆｔ｜＜０．４
ここで、Ｆ４ｍ：第４レンズ群中群Ｇ４ｍの焦点距離、Ｆ４ｒ：第４レンズ群後群Ｇ４ｒの焦点距離、Ｆｔ：望遠端におけるレンズ全系の焦点距離である。
また、本発明の第２の発明に係る防振機能を有する大口径望遠ズームレンズは、物体側より順に、正屈折力を有する第１レンズ群と、負屈折力を有する第２レンズ群と、正屈折力を有する第３レンズ群と、正屈折力を有する第４レンズ群とからなり、前記第１レンズ群は第１レンズ群前群と第１レンズ群後群からなり、前記第２レンズ群と前記第３レンズ群とを光軸に沿って移動させて変倍を行う４群ズームレンズにおいて、第４レンズ群は、物体側より順に、正屈折力を有する前群Ｇ４ｆ、負屈折力を有する中群Ｇ４ｍ、正屈折力を有する後群Ｇ４ｒより構成し、合焦に際して、前記第１レンズ群後群は光軸に沿って移動し、
前記第４レンズ群中群Ｇ４ｍを光軸と略垂直方向に偏心させて結像位置を変位する構成とし、以下の条件式を満足することを特徴とする。
（１）０．７＜｜Ｆ４ｒ／Ｆ４ｍ｜＜１．０
（２）０．３３≦｜Ｆ４ｍ／Ｆｔ｜＜０．４
ここで、Ｆ４ｍ：第４レンズ群中群Ｇ４ｍの焦点距離、Ｆ４ｒ：第４レンズ群後群Ｇ４ｒの焦点距離、Ｆｔ：望遠端におけるレンズ全系の焦点距離である。
【００１４】
さらに本発明を実施の防振機能を有する大口径望遠ズームレンズは、上記発明において、第４レンズ群前群Ｇ４ｆは少なくとも２つの正レンズを有することが好ましい。
【発明の効果】
【００１５】
本発明を実施の防振機能を有する大口径望遠ズームレンズによれば、特に小型撮像素子を搭載したデジタル一眼レフカメラに好適な、コンパクトで光学性能が良好な防振機能を有する大口径望遠ズームレンズを提供することができる。
【図面の簡単な説明】
【００１６】
【図１】実施例１のズームレンズの広角端の無限遠におけるレンズ断面図
【図２】実施例１のズームレンズの広角端の無限遠における縦収差図
【図３】実施例１のズームレンズの望遠端の無限遠における縦収差図
【図４】実施例１のズームレンズの広角端の無限遠における標準状態での横収差図
【図５】実施例１のズームレンズの望遠端の無限遠における標準状態での横収差図
【図６】実施例１のズームレンズの広角端の無限遠においてレンズが０．４８°傾いた状態で防振させたときの横収差図
【図７】実施例１のズームレンズの望遠端の無限遠においてレンズが０．３°傾いた状態で防振させたときの横収差図
【図８】実施例２のズームレンズの広角端の無限遠におけるレンズ断面図
【図９】実施例２のズームレンズの広角端の無限遠における縦収差図
【図１０】実施例２のズームレンズの望遠端の無限遠における縦収差図
【図１１】実施例２のズームレンズの広角端の無限遠における標準状態での横収差図
【図１２】実施例２のズームレンズの望遠端の無限遠における標準状態での横収差図
【図１３】実施例２のズームレンズの広角端の無限遠においてレンズが０．４８°傾いた状態で防振させたときの横収差図
【図１４】実施例２のズームレンズの望遠端の無限遠においてレンズが０．３°傾いた状態で防振させたときの横収差図
【図１５】実施例３のズームレンズの広角端の無限遠におけるレンズ断面図
【図１６】実施例３のズームレンズの広角端の無限遠における縦収差図
【図１７】実施例３のズームレンズの望遠端の無限遠における縦収差図
【図１８】実施例３のズームレンズの広角端の無限遠における標準状態での横収差図
【図１９】実施例３のズームレンズの望遠端の無限遠における標準状態での横収差図
【図２０】実施例３のズームレンズの広角端の無限遠においてレンズが０．４８°傾いた状態で防振させたときの横収差図
【図２１】実施例３のズームレンズの望遠端の無限遠においてレンズが０．３°傾いた状態で防振させたときの横収差図
【図２２】実施例４のズームレンズの広角端の無限遠におけるレンズ断面図
【図２３】実施例４のズームレンズの広角端の無限遠における縦収差図
【図２４】実施例４のズームレンズの望遠端の無限遠における縦収差図
【図２５】実施例４のズームレンズの広角端の無限遠における標準状態での横収差図
【図２６】実施例４のズームレンズの望遠端の無限遠における標準状態での横収差図
【図２７】実施例４のズームレンズの広角端の無限遠においてレンズが０．４８°傾いた状態で防振させたときの横収差図
【図２８】実施例４のズームレンズの望遠端の無限遠においてレンズが０．３°傾いた状態で防振させたときの横収差図
【図２９】実施例５のズームレンズの広角端の無限遠におけるレンズ断面図
【図３０】実施例５のズームレンズの広角端の無限遠における縦収差図
【図３１】実施例５のズームレンズの望遠端の無限遠における縦収差図
【図３２】実施例５のズームレンズの広角端の無限遠における標準状態での横収差図
【図３３】実施例５のズームレンズの望遠端の無限遠における標準状態での横収差図
【図３４】実施例５のズームレンズの広角端の無限遠においてレンズが０．４８°傾いた状態で防振させたときの横収差図
【図３５】実施例５のズームレンズの望遠端の無限遠においてレンズが０．３°傾いた状態で防振させたときの横収差図
【発明を実施するための形態】
【００１７】
本発明の防振機能を有する大口径望遠ズームレンズは、物体側より順に、正屈折力を有する第１レンズ群Ｇ１と、負屈折力を有する第２レンズ群Ｇ２と、正屈折力を有する第３レンズ群Ｇ３と、正屈折力を有する第４レンズ群Ｇ４とから成り、第２レンズ群Ｇ２と第３レンズ群Ｇ３とを光軸に沿って移動させて変倍を行う。
【００１８】
第４レンズ群Ｇ４は、物体側より順に、正屈折力を有する第４レンズ群前群Ｇ４ｆ、負屈折力を有する第４レンズ群中群Ｇ４ｍ、正屈折力を有する第４レンズ群後群Ｇ４ｒより構成し、第４レンズ群中群Ｇ４ｍを光軸と略垂直方向に偏心させて結像位置を変位させる。
【００１９】
第４レンズ群前群Ｇ４ｆは正の屈折力により光束を収斂し、防振レンズ群である第４レンズ群中群Ｇ４ｍへの軸上光束の入射高を小さくし、第４レンズ群中群Ｇ４ｍを小さくする働きをしている。第４レンズ群中群Ｇ４ｍは防振敏感度を大きくするため大きな負の屈折力を持ち、第４レンズ群後群Ｇ４ｒは第４レンズ群中群Ｇ４ｍで発生した収差を補正する働きをしている。
【００２０】
本発明の防振機能を有する大口径望遠ズームレンズにおいて、第４レンズ群後群Ｇ４ｒのパワーを強くすると望遠側において糸巻き型の歪曲を小さくすることができる。しかしながら、第４レンズ群後群Ｇ４ｒのパワーを強くしすぎると、諸収差の発生を抑えながら必要なバックフォーカスを確保することが困難になる。そこで、次の条件式（１）を満足することが望ましい。
（１）０．７＜｜Ｆ４ｒ／Ｆ４ｍ｜＜１．０
ここで、Ｆ４ｍ：第４レンズ群中群Ｇ４ｍの焦点距離、Ｆ４ｒ：第４レンズ群後群Ｇ４ｒの焦点距離である。
【００２１】
条件式（１）は、第４レンズ群中群Ｇ４ｍと第４レンズ群後群Ｇ４ｒの焦点距離の比を与えるものである。ここで簡単のため各群からなるレンズ系を薄肉レンズ系と考えると、レンズ全系のバックフォーカスＢＦは、第４レンズ群後群Ｇ４ｒの焦点距離Ｆ４ｒを用いて下記の式で表される。
ＢＦ＝Ｆ４ｒ＋ｚ’
ここで、ｚ’：第４レンズ群後群Ｇ４ｒの後側焦点から像面までの距離である。
【００２２】
このときニュートンの結像式より、第４レンズ群後群Ｇ４ｒの倍率βＧ４ｒは下記の式で表せる。
βＧ４ｒ＝−ｚ’／Ｆ４ｒ
【００２３】
これらの式より、第４レンズ群中群Ｇ４ｍの焦点距離Ｆ４ｍ一定、及びバックフォーカスＢＦ一定の条件下で、条件式（１）の下限値を越えて第４レンズ群後群Ｇ４ｒの焦点距離Ｆ４ｒが短くなると、第４レンズ群後群Ｇ４ｒの倍率負担が大きくなり、防振レンズ群である第４レンズ群中群Ｇ４ｍが手振れ補正のために光軸と略垂直方向に移動したときに発生するコマ収差及び非点収差の像面への影響が大きくなる。
【００２４】
条件式（１）の上限値を超えて第４レンズ群後群Ｇ４ｒの焦点距離が長くなると、望遠端で発生する糸巻型の歪曲の補正効果が不足する。
【００２５】
また、本発明の防振機能を有する大口径望遠ズームレンズにおいて、第４レンズ群中群Ｇ４ｍのパワーを弱くすると非点収差をはじめ諸収差の補正がし易くなる。しかし、第４レンズ群中群Ｇ４ｍのパワーを弱くしすぎると、手振れ補正に必要な防振敏感度を確保することができない。そこで、次の条件式（２）を満足することが望ましい。
（２）０．３３≦｜Ｆ４ｍ／Ｆｔ｜＜０．４
ここで、Ｆ４ｍ：第４レンズ群中群Ｇ４ｍの焦点距離、Ｆｔ：望遠端におけるレンズ全系の焦点距離である。
【００２６】
条件式（２）は、第４レンズ群中群Ｇ４ｍの焦点距離と望遠端における全系の焦点距離の比率を定めるものである。条件式（２）の下限を超えると第４レンズ群中群Ｇ４ｍの負のパワーが大きくなるので望遠端においてオーバーな球面収差の発生要因となる上に、防振時も含めた像面の平坦性の確保が難しくなる。
【００２７】
また、防振レンズ群の倍率をβｏｓ、防振レンズ群より像側のレンズ群の倍率をβｒｅａｒとすると、一般に防振敏感度Ｋｏｓは下記の式で表わされる。
Ｋｏｓ＝Δｉｍｇ／Δｘ＝−βｒｅａｒ×（１−βｏｓ）
ここで、Δｉｍｇ：結像面における像の移動量、Δｘ：防振レンズ群の移動量である。また、βｏｓは負の値をとる。
【００２８】
ここで、第４レンズ群後群Ｇ４ｒの焦点距離を上述した条件式（１）によって定めることとした場合、第４レンズ群中群Ｇ４ｍの焦点距離Ｆ４ｍが条件式（２）の上限を超えて長くなると、第４レンズ群Ｇ４内の各群の主点間距離が大きくなり、第４レンズ群Ｇ４の全長をコンパクトに構成することができない。
【００２９】
また、本発明の防振機能を有する大口径望遠ズームレンズにおいて、第４レンズ群前群Ｇ４ｆに少なくとも２つの正レンズを用いることで、球面収差の発生を抑えながら防振レンズ群である第４レンズ群中群Ｇ４ｍに入射するＦナンバー光線高を下げることができる。
【００３０】
以下、本発明の防振機能を有する大口径望遠ズームレンズに係る各実施例の説明及び数値実施例を示す。なお、各数値実施例において使用する記号の意味は以下のとおりである。
【００３１】
［全体諸元］中のｆは焦点距離、ＦｎｏはＦナンバー、Ｙは光軸からの最大像高を表す。
【００３２】
［レンズ諸元］中の第１列の番号は物体側からのレンズ面の番号、第２列ｒはレンズ面の曲率半径、第３列ｄはレンズ面間隔、第４列ｎｄはｄ線（波長λ＝５８７．５６ｎｍ）に対する屈折率、第５列νｄはｄ線に対するアッベ数である。第２列の「絞り」は絞り面を表し、第３列のＢｆはバックフォーカスを表す。
【００３３】
［無限遠撮影時の変倍における可変間隔］、［有限撮影時の変倍における可変間隔］はそれぞれの変倍における可変間隔の値を示す。
【００３４】
また、［条件式］は各数値実施例における本発明の各条件式の値を示す。
【００３５】
なお、以下の全ての諸元の値において、記載している焦点距離ｆ、曲率半径ｒ、レンズ面間隔ｄ、その他の長さの単位は特記のない場合「ｍｍ」を使用するが、光学系では比例拡大と比例縮小とにおいても同等の光学性能が得られるので、これに限られるものではない。これらの記号は以降の他の実施例においても同様であり説明は省略する。
【実施例１】
【００３６】
図１は本発明の第１実施例にかかる防振機能を有する大口径望遠ズームレンズの構成を示す図であり、広角端焦点距離かつ無限遠合焦状態における各レンズ群の位置を示している。本実施例は、物体側より順に、正屈折力を有する第１レンズ群Ｇ１と、負屈折力を有する第２レンズ群Ｇ２と、正屈折力を有する第３レンズ群Ｇ３と、正屈折力を有する第４レンズ群Ｇ４とを備え、第２レンズ群Ｇ２と第３レンズ群Ｇ３とを光軸に沿って移動させて変倍を行う。
【００３７】
第４レンズ群Ｇ４は、物体側より順に、物体側に凸形状の正レンズ２個からなり、全体として正屈折力を有する第４レンズ群前群Ｇ４ｆと、物体側より順に、正レンズと負レンズの接合レンズ、および両凹レンズからなり、全体として負屈折力を有する第４レンズ群中群Ｇ４ｍと、物体側より順に、両凸レンズ、曲率半径の小さな接合面を有する正レンズと負レンズの接合レンズ、および正レンズからなり、全体として正屈折力を有する第４レンズ群後群Ｇ４ｒとで構成し、第４レンズ群中群Ｇ４ｍを光軸と略垂直方向に偏心させることで結像位置を変位させる。
【００３８】
第１レンズ群Ｇ１は物体側より順に、正屈折力を有する第１レンズ群前群Ｇ１ｆと、正屈折力を有する第１レンズ群後群Ｇ１ｒより構成し、合焦に際しては第１レンズ群後群Ｇ１ｒが光軸方向に移動する構成とする。
【００３９】
以下に、本発明の実施例１の数値実施例を示す。
［数値実施例１］
[全体緒元]
f                       51.75          89.00         145.16
Fno                      2.91           2.91           2.91
2ω                     31.18          17.80          10.86
[レンズ緒元]
ｒ             ｄ            ｎｄ           νｄ
[1]                 3248.4181         2.0999        1.75519          27.52
[2]                  100.0000         7.1906        1.49700          81.58
[3]                 -199.7513             d3
[4]                   98.2751         4.7999        1.58913          61.23
[5]                -1381.7627         0.1500
[6]                   67.7156         5.1000        1.49700          81.58
[7]                  523.2033             d7
[8]                 1381.4180         3.9130        1.90365          31.30
[9]                  -44.4693         1.2501        1.75501          51.14
[10]                  52.5904         3.1747
[11]                -208.0105         1.2500        1.72916          54.65
[12]                  27.6896         3.5207        1.84666          23.77
[13]                  80.7573         2.9227
[14]                 -38.7145         1.2000        1.77250          49.60
[15]                 144.6206            d15
[16]                -367.3959         2.7500        1.77250          49.60
[17]                 -64.2818         0.1500
[18]                  95.9776         5.3559        1.63854          55.43
[19]                 -33.2050         1.2499        1.72825          28.31
[20]                -456.2932            d20
[21]                     絞り         0.8986
[22]                  94.3829         2.7924        1.49700          81.58
[23]                1495.7574         0.1500
[24]                  39.2465         3.5450        1.49700          81.58
[25]                 120.5521        16.6610
[26]                -250.0000         3.4567        1.67270          32.16
[27]                 -30.1751         1.0000        1.48749          70.41
[28]                 179.6793         2.3535
[29]                 -72.2077         1.0000        1.54072          47.18
[30]                  43.3350         3.6972
[31]                 161.8239         2.9442        1.65843          50.83
[32]                -161.8239         0.1500
[33]                 106.9463         7.3423        1.49700          81.58
[34]                 -24.0000         1.2000        1.84666          23.77
[35]                 -53.5543         0.1500
[36]                 117.8936         2.5227        1.84666          23.77
[37]               -8537.9193             Bf
[無限遠撮影時の変倍における可変間隔]
f                       51.75          89.00         145.16
ｄ３                   9.8581         9.8581         9.8581
ｄ７                   2.1589        18.9030        28.3923
ｄ１５                20.3923        13.6590         2.7885
ｄ２０                15.7114         5.7000         7.0815
Ｂｆ                  53.0053        52.9559        52.9645
[有限撮影時の変倍における可変間隔]
f                       51.75          89.00         145.16
ｄ０                2162.2871      3611.8100      5762.2888
ｄ３                   7.0806         8.1778         8.8251
ｄ７                   4.9364        20.5844        29.4255
ｄ１５                20.3923        13.6590         2.7885
ｄ２０                15.7114         5.7000         7.0815
Ｂｆ                  53.0208        52.9320        52.9755
[条件式]
条件式(1)      条件式(2)      
|F4r/F4m|      |F4m/Ft|       
条件範囲         0.7＜x＜1.0    0.33≦x＜0.4     
実施例1             0.94           0.36         
【実施例２】
【００４０】
図８は本発明の第２実施例にかかる防振機能を有する大口径望遠ズームレンズの構成を示す図であり、広角端焦点距離かつ無限遠合焦状態における各レンズ群の位置を示している。本実施例は、物体側より順に、正屈折力を有する第１レンズ群Ｇ１と、負屈折力を有する第２レンズ群Ｇ２と、正屈折力を有する第３レンズ群Ｇ３と、正屈折力を有する第４レンズ群Ｇ４とを備え、第２レンズ群Ｇ２と第３レンズ群Ｇ３とを光軸に沿って移動させて変倍を行う。
【００４１】
第４レンズ群Ｇ４は、物体側より順に、物体側に凸形状の正レンズ、および負レンズと正レンズの接合レンズからなり、全体として正屈折力を有する第４レンズ群前群Ｇ４ｆと、物体側より順に、物体側に凹形状の正レンズと負レンズの接合レンズからなり、全体として負屈折力を有する第４レンズ群中群Ｇ４ｍと、物体側より順に、両凸レンズ、曲率半径の小さな接合面を有する正レンズと負レンズの接合レンズ、および正レンズからなり、全体として正屈折力を有する第４レンズ群後群Ｇ４ｒとで構成し、第４レンズ群中群Ｇ４ｍを光軸と略垂直方向に偏心させることで結像位置を変位させる。
【００４２】
合焦に際しては第３レンズ群Ｇ３が光軸方向に移動する構成とする。
【００４３】
以下に、本発明の実施例２の数値実施例を示す。
［数値実施例２］
[全体緒元]
f                       51.71          86.23         145.19
Fno                      2.91           2.91           2.91
2ω                     31.06          18.44          10.92
[レンズ緒元]
ｒ             ｄ            ｎｄ           νｄ
[1]                  210.9705         2.1000        1.72825          28.31
[2]                   70.2091         7.4012        1.49700          81.58
[3]                 -833.3333         0.1500
[4]                  184.0147         4.7515        1.49700          81.58
[5]                 -306.4044         0.1500
[6]                   48.2661         7.5908        1.49700          81.58
[7]                  321.7182             d7
[8]                -1652.2833         3.1824        1.84666          23.77
[9]                  -55.9786         1.2000        1.58913          61.23
[10]                  24.0422         5.1054
[11]                -122.9992         1.1000        1.48749          70.41
[12]                  27.2843         3.4238        1.84666          23.77
[13]                  85.9864         3.9325
[14]                 -29.7930         1.1000        1.80609          33.26
[15]                 893.6544            d15
[16]               -2601.4505         2.7261        1.78589          43.92
[17]                 -62.7620         0.1500
[18]                 102.9543         4.8444        1.63854          55.43
[19]                 -39.6691         1.1500        1.84666          23.77
[20]                -142.8091            d20
[21]                     絞り         0.9000
[22]                  28.5451         7.0000        1.49700          81.58
[23]                     無限         1.6183
[24]                     無限         1.0105        1.71300          53.92
[25]                  20.0458         5.3210        1.56384          60.81
[26]               -1462.7286         9.1001
[27]                -103.3112         3.7435        1.84666          23.77
[28]                 -25.2796         0.8996        1.70154          41.13
[29]                  39.3519         3.7000
[30]                  71.4654         3.1656        1.63854          55.43
[31]                -329.5531         0.1500
[32]                  71.4244         7.6367        1.48749          70.41
[33]                 -24.0817         1.1000        1.80518          25.45
[34]                -114.1760         0.1500
[35]                  80.3515         3.2616        1.84666          23.77
[36]                -515.4639             Bf
[無限遠撮影時の変倍における可変間隔]
f                       51.71          86.23         145.19
ｄ７                   3.7694        17.9485        26.5043
ｄ１５                19.2930        13.1252         2.5553
ｄ２０                24.1224        16.1111        18.1252
Ｂｆ                  48.0863        47.9744        47.9430
[有限撮影時の変倍における可変間隔]
f                       51.71          86.23         145.19
ｄ０                2001.2280      3305.0032      5401.2291
ｄ７                   3.7694        17.9485        26.5043
ｄ１５                19.9478        14.2149         4.4344
ｄ２０                23.4677        15.0214        16.2461
Ｂｆ                  48.1032        48.0134        47.9989
[条件式]
条件式(1)      条件式(2)      
|F4r/F4m|      |F4m/Ft|       
条件範囲         0.7＜x＜1.0    0.33≦x＜0.4     
実施例2             0.90           0.34           
【実施例３】
【００４４】
図１５は本発明の第３実施例にかかる防振機能を有する大口径望遠ズームレンズの構成を示す図であり、広角端焦点距離かつ無限遠合焦状態における各レンズ群の位置を示している。本実施例は、物体側より順に、正屈折力を有する第１レンズ群Ｇ１と、負屈折力を有する第２レンズ群Ｇ２と、正屈折力を有する第３レンズ群Ｇ３と、正屈折力を有する第４レンズ群Ｇ４とを備え、第２レンズ群Ｇ２と第３レンズ群Ｇ３とを光軸に沿って移動させて変倍を行う。
【００４５】
第４レンズ群Ｇ４は、物体側より順に、物体側に凸形状の正レンズ、および負レンズと正レンズの接合レンズからなり、全体として正屈折力を有する第４レンズ群前群Ｇ４ｆと、物体側より順に、物体側に凹形状の正レンズと負レンズの接合レンズからなり、全体として負屈折力を有する第４レンズ群中群Ｇ４ｍと、物体側より順に、曲率半径の小さな接合面を有する正レンズと負レンズの接合レンズ、および正レンズからなり、全体として正屈折力を有する第４レンズ群後群Ｇ４ｒとで構成し、第４レンズ群中群Ｇ４ｍを光軸と略垂直方向に偏心させることで結像位置を変位させる。
【００４６】
合焦に際しては第３レンズ群Ｇ３が光軸方向に移動する構成とする。
【００４７】
以下に、本発明の実施例３の数値実施例を示す。
［数値実施例３］
[全体緒元]
f                       51.64          86.17         145.22
Fno                      2.92           2.92           2.92
2ω                     30.98          18.43          10.91
[レンズ緒元]
ｒ             ｄ            ｎｄ           νｄ
[1]                  210.9705         2.1000        1.72825          28.31
[2]                   72.3860         7.0142        1.49700          81.58
[3]                 -833.3333         0.1500
[4]                  196.6675         4.2596        1.49700          81.58
[5]                 -435.1466         0.1500
[6]                   50.3060         7.3258        1.49700          81.58
[7]                  321.6262             d7
[8]                 5741.1292         3.0615        1.84666          23.77
[9]                  -63.3203         1.2000        1.58913          61.23
[10]                  24.2628         5.6234
[11]                -195.2955         1.1000        1.48749          70.41
[12]                  26.5740         5.2948        1.84666          23.77
[13]                  70.0696         4.2407
[14]                 -28.9298         1.1000        1.80610          33.26
[15]                -583.8707            d15
[16]                -253.6068         2.8198        1.80610          40.72
[17]                 -49.9399         0.1500
[18]                  92.8352         5.0264        1.62041          60.32
[19]                 -38.3504         1.1500        1.80518          25.45
[20]                -197.8323            d20
[21]                     絞り         0.9000
[22]                  30.8427         5.6462        1.65843          50.83
[23]                  99.7455         3.2875
[24]                  71.4218         0.9963        1.78589          43.92
[25]                  20.5126         5.2041        1.49700          81.58
[26]               -1000.0000         9.1000
[27]                 -91.9704         3.6759        1.84666          23.77
[28]                 -25.1110         0.9000        1.70154          41.13
[29]                  40.4479         4.5545
[30]                  58.0303         8.4951        1.48749          70.41
[31]                 -21.4587         1.1000        1.80518          25.45
[32]                 -49.6860         0.1500
[33]                  81.3705         3.3233        1.84666          23.77
[34]                -515.4639             Bf
[無限遠撮影時の変倍における可変間隔]
f                       51.64          86.17         145.22
ｄ７                   3.0742        19.1185        28.9138
ｄ１５                17.9510        12.3420         2.6343
ｄ２０                25.0693        14.6339        14.5464
Ｂｆ                  48.9059        48.7807        48.7251
[有限撮影時の変倍における可変間隔]
f                       51.64          86.17         145.22
ｄ０                2001.2280      3305.0032      5401.2291
ｄ７                   3.0742        19.1185        28.9138
ｄ１５                18.5621        13.3460         4.3768
ｄ２０                24.4582        13.6299        12.8039
Ｂｆ                  48.9256        48.8338        48.7906
[条件式]
条件式(1)      条件式(2)      
|F4r/F4m|      |F4m/Ft|       
条件範囲         0.7＜x＜1.0    0.33≦x＜0.4     
実施例3             0.99           0.33         
【実施例４】
【００４８】
図２２は本発明の第４実施例にかかる防振機能を有する大口径望遠ズームレンズの構成を示す図であり、広角端焦点距離かつ無限遠合焦状態における各レンズ群の位置を示している。本実施例は、物体側より順に、正屈折力を有する第１レンズ群Ｇ１と、負屈折力を有する第２レンズ群Ｇ２と、正屈折力を有する第３レンズ群Ｇ３と、正屈折力を有する第４レンズ群Ｇ４とを備え、第２レンズ群Ｇ２と第３レンズ群Ｇ３とを光軸に沿って移動させて変倍を行う。
【００４９】
第４レンズ群Ｇ４は、物体側より順に、物体側に凸形状の正レンズ２個からなり、全体として正屈折力を有する第４レンズ群前群Ｇ４ｆと、物体側より順に、正レンズと負レンズの接合レンズ、および両凹レンズからなり、全体として負屈折力を有する第４レンズ群中群Ｇ４ｍと、物体側より順に、両凸レンズ、曲率半径の小さな接合面を有する正レンズと負レンズの接合レンズ、および正レンズからなり、全体として正屈折力を有する第４レンズ群後群Ｇ４ｒとで構成し、第４レンズ群中群Ｇ４ｍを光軸と略垂直方向に偏心させることで結像位置を変位させる。
【００５０】
合焦に際しては第３レンズ群Ｇ３が光軸方向に移動する構成とする。
【００５１】
以下に、本発明の実施例４の数値実施例を示す。
［数値実施例４］
[全体緒元]
f                       51.67          86.17         145.20
Fno                      2.93           2.93           2.93
2ω                     30.97          18.42          10.91
[レンズ緒元]
ｒ             ｄ            ｎｄ           νｄ
[1]                  210.9705         1.0000        1.80610          33.26
[2]                   59.9226         8.3302        1.45860          90.16
[3]                 -833.3333         0.1500
[4]                   67.0789         7.1491        1.59282          68.60
[5]                -4010.3993         0.1500
[6]                   60.9995         6.2506        1.49700          81.58
[7]                  396.4031             d7
[8]                  297.3858         4.1728        1.90365          31.30
[9]                  -41.8035         1.2000        1.77250          49.60
[10]                  24.6898         4.9143
[11]                 -84.0388         1.1000        1.48749          70.41
[12]                  26.1929         3.8620        1.84666          23.77
[13]                 141.6380         3.2964
[14]                 -28.0878         1.1000        1.80450          39.62
[15]                 482.9657            d15
[16]                -554.2901         2.9176        1.77250          49.60
[17]                 -51.5792         0.1500
[18]                  90.9956         5.3358        1.51680          64.17
[19]                 -37.2515         1.1500        1.84666          23.77
[20]                 -94.2666            d20
[21]                     絞り         0.9000
[22]                  27.3103         7.0000        1.49700          81.58
[23]                  34.4421         3.1008
[24]                  43.7534         3.1694        1.49700          81.58
[25]                 405.3435         9.8798
[26]                -200.0000         3.1043        1.84666          23.77
[27]                 -37.2597         0.8000        1.63980          34.56
[28]                 450.2168         0.7202
[29]                -240.4234         0.8000        1.65843          50.83
[30]                  39.2689         2.7930
[31]                  65.4580         2.8739        1.78589          43.92
[32]                1282.6554         0.1500
[33]                  75.5783         7.8357        1.45860          90.16
[34]                 -19.8767         1.1000        1.90365          31.30
[35]                 -85.4744         2.5579
[36]                 131.1081         3.5106        1.90365          31.30
[37]                -108.5436             Bf
[無限遠撮影時の変倍における可変間隔]
f                       51.67          86.17         145.20
ｄ７                   3.6875        17.1222        25.5254
ｄ１５                16.5838        11.4230         2.2811
ｄ２０                19.7042        11.4303        12.1689
Ｂｆ                  48.0845        47.9751        47.9513
[有限撮影時の変倍における可変間隔]
f                       51.67          86.17         145.20
ｄ０                2001.2280      3305.0032      5401.2291
ｄ７                   3.6875        17.1222        25.5254
ｄ１５                17.1251        12.3047         3.8024
ｄ２０                19.1628        10.5487        10.6477
Ｂｆ                  48.0978        48.0017        48.0003
[条件式]
条件式(1)      条件式(2)     
|F4r/F4m|      |F4m/Ft|      
条件範囲         0.7＜x＜1.0    0.33≦x＜0.4    
実施例4             0.99           0.35        
【実施例５】
【００５２】
図２９は本発明の第５実施例にかかる防振機能を有する大口径望遠ズームレンズの構成を示す図であり、広角端焦点距離かつ無限遠合焦状態における各レンズ群の位置を示している。本実施例は、物体側より順に、正屈折力を有する第１レンズ群Ｇ１と、負屈折力を有する第２レンズ群Ｇ２と、正屈折力を有する第３レンズ群Ｇ３と、正屈折力を有する第４レンズ群Ｇ４とを備え、第２レンズ群Ｇ２と第３レンズ群Ｇ３とを光軸に沿って移動させて変倍を行う。
【００５３】
第４レンズ群Ｇ４は、物体側より順に、物体側に凸形状の正レンズ、および負レンズと正レンズの接合レンズからなり、全体として正屈折力を有する第４レンズ群前群Ｇ４ｆと、物体側より順に、物体側に凹形状の正レンズと負レンズの接合レンズからなり、全体として負屈折力を有する第４レンズ群中群Ｇ４ｍと、物体側より順に、両凸レンズ、曲率半径の小さな接合面を有する正レンズと負レンズの接合レンズ、および正レンズからなり、全体として正屈折力を有する第４レンズ群後群Ｇ４ｒとで構成し、第４レンズ群中群Ｇ４ｍを光軸と略垂直方向に偏心させることで結像位置を変位させる。
【００５４】
合焦に際しては第３レンズ群Ｇ３が光軸方向に移動する構成とする。
【００５５】
以下に、本発明の実施例５の数値実施例を示す。
［数値実施例５］
[全体緒元]
f                       51.70          86.23         145.25
Fno                      2.92           2.92           2.92
2ω                     31.02          18.43          10.92
[レンズ緒元]
ｒ             ｄ            ｎｄ           νｄ
[1]                  210.9705         2.1000        1.72825          28.31
[2]                   72.6291         7.2541        1.49700          81.58
[3]                 -833.3333         0.1500
[4]                  189.0241         4.6156        1.49700          81.58
[5]                 -338.4505         0.1500
[6]                   49.4882         7.4083        1.49700          81.58
[7]                  311.5445             d7
[8]                 1598.4233         2.9493        1.84666          23.77
[9]                  -69.5018         1.2000        1.58913          61.23
[10]                  24.6191         7.1610
[11]                 -82.3936         1.1000        1.48749          70.41
[12]                  29.1565         3.3939        1.84666          23.77
[13]                 110.0999         3.6234
[14]                 -32.8138         1.1000        1.80610          33.26
[15]                1234.9758            d15
[16]                1949.6189         2.5517        1.80610          40.72
[17]                 -76.3640         0.1500
[18]                 122.1990         4.7437        1.62041          60.32
[19]                 -37.2157         1.1500        1.80518          25.45
[20]                -129.6646            d20
[21]                     絞り         0.9000
[22]                  30.3400         7.0000        1.65843          50.83
[23]                -138.7198         1.4544
[24]                -120.6932         1.2127        1.78589          43.92
[25]                  25.2273         5.2828        1.49700          81.58
[26]               -1000.0000         9.1000
[27]                -104.9649         3.7760        1.84666          23.77
[28]                 -25.0000         0.8996        1.70154          41.13
[29]                  38.1279         3.7000
[30]                  73.2735         2.8931        1.65843          50.83
[31]                     無限         0.1500
[32]                  67.1839         8.3334        1.48749          70.41
[33]                 -21.7888         1.1000        1.80518          25.45
[34]                 -87.7582         0.1500
[36]                  86.7751         3.6097        1.84666          23.77
[37]                -188.7959             Bf
[無限遠撮影時の変倍における可変間隔]
f                       51.70          86.23         145.25
ｄ７                   5.2205        19.1119        27.5949
ｄ１５                21.1211        14.2490         2.4669
ｄ２０                19.2957        12.2763        15.5755
Ｂｆ                  48.0365        48.0367        48.0333
[有限撮影時の変倍における可変間隔]
f                       51.70          86.23         145.25
ｄ０                2001.2280      3305.0032      5401.2291
ｄ７                   5.2205        19.1119        27.5949
ｄ１５                21.9149        15.5653         4.7370
ｄ２０                18.5019        10.9600        13.3055
Ｂｆ                  48.0385        48.0403        48.0324
[条件式]
条件式(1)      条件式(2)      
|F4r/F4m|      |F4m/Ft|       
条件範囲         0.7＜x＜1.0    0.33≦x＜0.4     
実施例5             0.88           0.33         
【符号の説明】
【００５６】
Ｓ：開口絞り
Ｉ：像面
Ｇ１：第１レンズ群
Ｇ１ｆ：第１レンズ群前群
Ｇ１ｒ：第１レンズ群後群
Ｇ２：第２レンズ群
Ｇ３：第３レンズ群
Ｇ４：第４レンズ群
Ｇ４ｆ：第４レンズ群前群
Ｇ４ｍ：第４レンズ群中群
Ｇ４ｒ：第４レンズ群後群
Ｃ  Ｃ線（波長λ＝６５６．３ｎｍ）
ｄ  ｄ線（波長λ＝５８７．６ｎｍ）
ｇ  ｇ線（波長λ＝４３５．８ｎｍ）
Ｙ  像高
ΔＳ  サジタル像面
ΔＭ  メリジオナル像面
【図１】
0006033904.tif 000002
【図２】
0006033904.tif 000003
【図３】
0006033904.tif 000004
【図４】
0006033904.tif 000005
【図５】
0006033904.tif 000006
【図６】
0006033904.tif 000007
【図７】
0006033904.tif 000008
【図８】
0006033904.tif 000009
【図９】
0006033904.tif 000010
【図１０】
0006033904.tif 000011
【図１１】
0006033904.tif 000012
【図１２】
0006033904.tif 000013
【図１３】
0006033904.tif 000014
【図１４】
0006033904.tif 000015
【図１５】
0006033904.tif 000016
【図１６】
0006033904.tif 000017
【図１７】
0006033904.tif 000018
【図１８】
0006033904.tif 000019
【図１９】
0006033904.tif 000020
【図２０】
0006033904.tif 000021
【図２１】
0006033904.tif 000022
【図２２】
0006033904.tif 000023
【図２３】
0006033904.tif 000024
【図２４】
0006033904.tif 000025
【図２５】
0006033904.tif 000026
【図２６】
0006033904.tif 000027
【図２７】
0006033904.tif 000028
【図２８】
0006033904.tif 000029
【図２９】
0006033904.tif 000030
【図３０】
0006033904.tif 000031
【図３１】
0006033904.tif 000032
【図３２】
0006033904.tif 000033
【図３３】
0006033904.tif 000034
【図３４】
0006033904.tif 000035
【図３５】
0006033904.tif 000036